【手続補正書】
【提出日】平成20年3月27日(2008.3.27)
【手続補正１】
【補正対象書類名】明細書
【補正対象項目名】特許請求の範囲
【補正方法】変更
【補正の内容】
【特許請求の範囲】
【請求項１】  遊技の演出効果を高めるために用いられる複数種類の遊技部品が設けられ、該複数種類の遊技部品のうちの一つである可変表示装置の表示結果が予め定められた特定の表示態様となった場合に遊技者にとって有利な遊技状態に制御可能となる遊技機であって、
遊技状態を制御する遊技制御手段と、
該遊技制御手段から出力される指令情報に基づいて演出の制御を行なう複数種類の制御手段とを含み、
該複数種類の制御手段には、
前記可変表示装置の表示結果を導出表示させる制御を行なう可変表示制御手段と、
前記複数種類の遊技部品の一つである発光体を点灯させる制御を行なう発光体制御手段とが含まれ、
前記遊技制御手段は、前記演出を開始するとき前記可変表示制御手段および前記発光体制御手段の制御内容を指令する前記指令情報を出力する制御を１回のみ行ない、
前記可変表示制御手段および前記発光体制御手段は、前記指令情報に基づき、所定の演出期間にわたって前記複数種類の遊技部品を所定の態様で動作させる制御を開始可能であることを特徴とする、遊技機。
【請求項２】  遊技の演出効果を高めるために用いられる複数種類の遊技部品が設けられ、該複数種類の遊技部品のうちの一つである可変表示装置の表示結果が予め定められた特定の表示態様となった場合に遊技者にとって有利な遊技状態に制御可能となる遊技機であって、
遊技状態を制御する遊技制御手段と、
該遊技制御手段から出力される指令情報に基づいて演出の制御を行なう複数種類の制御手段とを含み、
該複数種類の制御手段には、
前記可変表示装置の表示結果を導出表示させる制御を行なう可変表示制御手段と、
前記複数種類の遊技部品の一つである音発生装置から音を発生させる制御を行なう音制御手段とが含まれ、
前記遊技制御手段は、前記演出を開始するとき前記可変表示制御手段および前記音制御手段の制御内容を指令する前記指令情報を出力する制御を１回のみ行ない、
前記可変表示制御手段および前記音制御手段は、前記指令情報に基づき、所定の演出期間にわたって前記複数種類の遊技部品を所定の態様で動作させる制御を開始可能であることを特徴とする、遊技機。
【請求項３】  前記指令情報は、前記演出期間を特定可能な情報を含むことを特徴とする、請求項１または請求項２に記載の遊技機。
【請求項４】  前記可変表示制御手段は、複数種類の演出パターンのうちのいずれかで前記可変表示装置の表示結果を導出表示させる制御を行なうことが可能であり、
前記指令情報は、前記可変表示制御手段が前記演出パターンを特定可能な情報を含むことを特徴とする、請求項１〜請求項３のいずれかに記載の遊技機。
【請求項５】  前記音制御手段は、複数種類の演出パターンのうちのいずれかで前記音発生装置から音を発生させる制御を行なうことが可能であり、
前記指令情報は、前記音制御手段が前記演出パターンを特定可能な情報を含むことを特徴とする、請求項２に記載の遊技機。
【請求項６】  前記発光体制御手段は、複数種類の演出パターンのうちのいずれかで前記発光体を点灯させる制御を行なうことが可能であり、
前記指令情報は、前記発光体制御手段が前記演出パターンを特定可能な情報を含むことを特徴とする、請求項１に記載の遊技機。
【請求項７】  前記演出期間にわたって前記複数種類の遊技部品を所定の態様で動作させるために前記遊技制御手段から出力される指令情報は、前記複数種類の制御手段の各々が前記遊技部品を制御する際に用いる演出パターンを特定可能な情報を含み、
前記遊技制御手段は、前記演出期間において前記複数種類の制御手段の各々が用いる演出パターン同士が互いに関連した内容となる指令情報を出力することを特徴とする、請求項１または請求項２または請求項３に記載の遊技機。
【請求項８】  前記遊技制御手段は、前記演出期間が終了する時期に前記演出期間の終了を通知する指令情報を前記複数種類の制御手段に出力することを特徴とする、請求項１〜請求項７のいずれかに記載の遊技機。
【請求項９】  前記遊技制御手段は、前記可変表示装置の表示結果を特定可能な指令情報を前記可変表示制御手段に出力することを特徴とする、請求項１〜請求項８のいずれかに記載の遊技機。
【請求項１０】  前記演出期間にわたって前記複数種類の遊技部品を所定の態様で動作させるために、前記複数種類の制御手段の各々に対して出力される指令情報は、同一形態であることを特徴とする、請求項１〜請求項９のいずれかに記載の遊技機。
【請求項１１】  前記複数種類の制御手段は、前記遊技制御手段が搭載された遊技制御基板とは別の基板に搭載されることを特徴とする、請求項１〜請求項１０のいずれかに記載の遊技機。
【請求項１２】  前記遊技制御手段から前記複数種類の制御手段への情報の出力を許容するが前記複数種類の制御手段から前記遊技制御手段への情報の入力を禁止する不可逆性入力手段をさらに含むことを特徴とする、請求項１〜請求項１１のいずれかに記載の遊技機。
【手続補正２】
【補正対象書類名】明細書
【補正対象項目名】０００８
【補正方法】変更
【補正の内容】
【０００８】
【課題を解決するための手段】
請求項１に記載の本発明は、遊技の演出効果を高めるために用いられる複数種類の遊技部品が設けられ、該複数種類の遊技部品のうちの一つである可変表示装置の表示結果が予め定められた特定の表示態様となった場合に遊技者にとって有利な遊技状態に制御可能となる遊技機であって、
遊技状態を制御する遊技制御手段と、
該遊技制御手段から出力される指令情報に基づいて演出の制御を行なう複数種類の制御手段とを含み、
該複数種類の制御手段には、
前記可変表示装置の表示結果を導出表示させる制御を行なう可変表示制御手段と、
前記複数種類の遊技部品の一つである発光体を点灯させる制御を行なう発光体制御手段とが含まれ、
前記遊技制御手段は、前記演出を開始するとき前記可変表示制御手段および前記発光体制御手段の制御内容を指令する前記指令情報を出力する制御を１回のみ行ない、
前記可変表示制御手段および前記発光体制御手段は、前記指令情報に基づき、所定の演出期間にわたって前記複数種類の遊技部品を所定の態様で動作させる制御を開始可能であることを特徴とする。
請求項２に記載の本発明は、遊技の演出効果を高めるために用いられる複数種類の遊技部品が設けられ、該複数種類の遊技部品のうちの一つである可変表示装置の表示結果が予め定められた特定の表示態様となった場合に遊技者にとって有利な遊技状態に制御可能となる遊技機であって、
遊技状態を制御する遊技制御手段と、
該遊技制御手段から出力される指令情報に基づいて演出の制御を行なう複数種類の制御手段とを含み、
該複数種類の制御手段には、
前記可変表示装置の表示結果を導出表示させる制御を行なう可変表示制御手段と、
前記複数種類の遊技部品の一つである音発生装置から音を発生させる制御を行なう音制御手段とが含まれ、
前記遊技制御手段は、前記演出を開始するとき前記可変表示制御手段および前記音制御手段の制御内容を指令する前記指令情報を出力する制御を１回のみ行ない、
前記可変表示制御手段および前記音制御手段は、前記指令情報に基づき、所定の演出期間にわたって前記複数種類の遊技部品を所定の態様で動作させる制御を開始可能であることを特徴とする。
【手続補正３】
【補正対象書類名】明細書
【補正対象項目名】０００９
【補正方法】変更
【補正の内容】
【０００９】
請求項３に記載の本発明は、請求項１または請求項２に記載の発明の構成に加えて、前記指令情報は、前記演出期間を特定可能な情報を含むことを特徴とする。
【手続補正４】
【補正対象書類名】明細書
【補正対象項目名】００１０
【補正方法】変更
【補正の内容】
【００１０】
請求項４に記載の本発明は、請求項１〜請求項３のいずれかに記載の発明の構成に加えて、前記可変表示制御手段は、複数種類の演出パターンのうちのいずれかで前記可変表示装置の表示結果を導出表示させる制御を行なうことが可能であり、
前記指令情報は、前記可変表示制御手段が前記演出パターンを特定可能な情報を含むことを特徴とする。
【手続補正５】
【補正対象書類名】明細書
【補正対象項目名】００１１
【補正方法】変更
【補正の内容】
【００１１】
請求項５に記載の本発明は、請求項２に記載の発明の構成に加えて、前記音制御手段は、複数種類の演出パターンのうちのいずれかで前記音発生装置から音を発生させる制御を行なうことが可能であり、
前記指令情報は、前記音制御手段が前記演出パターンを特定可能な情報を含むことを特徴とする。
【手続補正６】
【補正対象書類名】明細書
【補正対象項目名】００１２
【補正方法】変更
【補正の内容】
【００１２】
請求項６に記載の本発明は、請求項１に記載の発明の構成に加えて、前記発光体制御手段は、複数種類の演出パターンのうちのいずれかで前記発光体を点灯させる制御を行なうことが可能であり、
前記指令情報は、前記発光体制御手段が前記演出パターンを特定可能な情報を含むことを特徴とする。
【手続補正７】
【補正対象書類名】明細書
【補正対象項目名】００１３
【補正方法】変更
【補正の内容】
【００１３】
請求項７に記載の本発明は、請求項１または請求項２または請求項３に記載の発明の構成に加えて、前記演出期間にわたって前記複数種類の遊技部品を所定の態様で動作させるために前記遊技制御手段から出力される指令情報は、前記複数種類の制御手段の各々が前記遊技部品を制御する際に用いる演出パターンを特定可能な情報を含み、
前記遊技制御手段は、前記演出期間において前記複数種類の制御手段の各々が用いる演出パターン同士が互いに関連した内容となる指令情報を出力することを特徴とする。
【手続補正８】
【補正対象書類名】明細書
【補正対象項目名】００１４
【補正方法】変更
【補正の内容】
【００１４】
請求項８に記載の本発明は、請求項１〜請求項７のいずれかに記載の発明の構成に加えて、前記遊技制御手段は、前記演出期間が終了する時期に前記演出期間の終了を通知する指令情報を前記複数種類の制御手段に出力することを特徴とする。
【手続補正９】
【補正対象書類名】明細書
【補正対象項目名】００１５
【補正方法】変更
【補正の内容】
【００１５】
請求項９に記載の本発明は、請求項１〜請求項８のいずれかに記載の発明の構成に加えて、前記遊技制御手段は、前記可変表示装置の表示結果を特定可能な指令情報を前記可変表示制御手段に出力することを特徴とする。
【手続補正１０】
【補正対象書類名】明細書
【補正対象項目名】００１６
【補正方法】変更
【補正の内容】
【００１６】
請求項１０に記載の本発明は、請求項１〜請求項９のいずれかに記載の発明の構成に加えて、前記演出期間にわたって前記複数種類の遊技部品を所定の態様で動作させるために、前記複数種類の制御手段の各々に対して出力される指令情報は、同一形態であることを特徴とする。
【手続補正１１】
【補正対象書類名】明細書
【補正対象項目名】００１７
【補正方法】変更
【補正の内容】
【００１７】
請求項１１に記載の本発明は、請求項１〜請求項１０のいずれかに記載の発明の構成に加えて、前記複数種類の制御手段は、前記遊技制御手段が搭載された遊技制御基板とは別の基板に搭載されることを特徴とする。
【手続補正１２】
【補正対象書類名】明細書
【補正対象項目名】００１８
【補正方法】変更
【補正の内容】
【００１８】
請求項１２に記載の本発明は、請求項１〜請求項１１のいずれかに記載の発明の構成に加えて、前記遊技制御手段から前記複数種類の制御手段への情報の出力を許容するが前記複数種類の制御手段から前記遊技制御手段への情報の入力を禁止する不可逆性入力手段をさらに含むことを特徴とする。
【手続補正１３】
【補正対象書類名】明細書
【補正対象項目名】００１９
【補正方法】変更
【補正の内容】
【００１９】
【作用】
請求項１に記載の本発明によれば、遊技制御手段の働きにより、遊技状態が制御される。複数種類の制御手段の働きにより、遊技制御手段から出力される指令情報に基づいて演出の制御が行われる。可変表示制御手段の働きにより、前記可変表示装置の表示結果を導出表示させる制御が行なわれる。発光体制御手段の働きにより、前記複数種類の遊技部品の一つである発光体を点灯させる制御が行なわれる。前記遊技制御手段によって前記演出を開始するとき前記可変表示制御手段および前記発光体制御手段の制御内容を指令する前記指令情報を出力する制御が１回のみ行なわれる。そして、前記可変表示制御手段および前記発光体制御手段により、前記指令情報に基づき、前記複数種類の制御手段の働きにより、所定の演出期間にわたって前記複数種類の遊技部品を所定の態様で動作させる制御が開始される。
請求項２に記載の本発明によれば、遊技制御手段の働きにより、遊技状態が制御される。複数種類の制御手段の働きにより、遊技制御手段から出力される指令情報に基づいて演出の制御が行われる。可変表示制御手段の働きにより、前記可変表示装置の表示結果を導出表示させる制御が行なわれる。音制御手段の働きにより、前記複数種類の遊技部品の一つである音発生装置から音を発生させる制御が行なわれる。前記遊技制御手段によって前記演出を開始するとき前記可変表示制御手段および前記音制御手段の制御内容を指令する前記指令情報を出力する制御が１回のみ行なわれる。そして、前記可変表示制御手段および前記音制御手段により、前記指令情報に基づき、前記複数種類の制御手段の働きにより、所定の演出期間にわたって前記複数種類の遊技部品を所定の態様で動作させる制御が開始される。
【手続補正１４】
【補正対象書類名】明細書
【補正対象項目名】００２０
【補正方法】変更
【補正の内容】
【００２０】
請求項３に記載の本発明は、請求項１または請求項２に記載の発明の作用に加えて、前記指令情報によって前記演出期間を特定可能とされる。
【手続補正１５】
【補正対象書類名】明細書
【補正対象項目名】００２１
【補正方法】変更
【補正の内容】
【００２１】
請求項４に記載の本発明は、請求項１〜請求項３のいずれかに記載の発明の作用に加えて、前記指令情報によって前記可変表示制御手段が演出パターンを特定可能とされる。
【手続補正１６】
【補正対象書類名】明細書
【補正対象項目名】００２２
【補正方法】変更
【補正の内容】
【００２２】
請求項５に記載の本発明は、請求項２に記載の発明の作用に加えて、前記指令情報によって前記音制御手段が演出パターンを特定可能とされる。
【手続補正１７】
【補正対象書類名】明細書
【補正対象項目名】００２３
【補正方法】変更
【補正の内容】
【００２３】
請求項６に記載の本発明は、請求項１に記載の発明の作用に加えて、前記指令情報によって前記発光体制御手段が演出パターンを特定可能とされる。
【手続補正１８】
【補正対象書類名】明細書
【補正対象項目名】００２４
【補正方法】変更
【補正の内容】
【００２４】
請求項７に記載の本発明は、請求項１または請求項２または請求項３に記載の発明の作用に加えて、前記演出期間において前記複数種類の制御手段によって制御される複数種類の遊技部品の演出パターンの各々が関連した内容となる。
【手続補正１９】
【補正対象書類名】明細書
【補正対象項目名】００２５
【補正方法】変更
【補正の内容】
【００２５】
請求項８に記載の本発明によれば、請求項１〜請求項７のいずれかに記載の発明の作用に加えて、遊技制御手段の働きにより、前記演出期間が終了する時期に前記演出期間の終了を通知する指令情報が前記複数種類の制御手段に出力される。
【手続補正２０】
【補正対象書類名】明細書
【補正対象項目名】００２６
【補正方法】変更
【補正の内容】
【００２６】
請求項９に記載の本発明は、請求項１〜請求項８のいずれかに記載の発明の作用に加えて、前記遊技制御手段の働きにより、前記可変表示装置の表示結果を特定可能な指令情報が前記可変表示制御手段に出力される。
【手続補正２１】
【補正対象書類名】明細書
【補正対象項目名】００２７
【補正方法】変更
【補正の内容】
【００２７】
請求項１０に記載の本発明は、請求項１〜請求項９のいずれかに記載の発明の作用に加えて、前記演出期間にわたって前記複数種類の遊技部品を所定の態様で動作させる場合には、前記複数種類の制御手段の各々に対して同一形態の指令情報が出力される。
【手続補正２２】
【補正対象書類名】明細書
【補正対象項目名】００２８
【補正方法】変更
【補正の内容】
【００２８】
請求項１１に記載の本発明は、請求項１〜請求項１０のいずれかに記載の発明の作用に加えて、前記遊技制御手段が搭載された遊技制御基板には前記複数種類の制御手段は搭載されないことから、遊技制御基板に前記複数種類の制御手段を搭載するスペースを設ける必要がなくなる。
【手続補正２３】
【補正対象書類名】明細書
【補正対象項目名】００２９
【補正方法】変更
【補正の内容】
【００２９】
請求項１２に記載の本発明は、請求項１〜請求項１１のいずれかに記載の発明の作用に加えて、不可逆性入力手段の働きにより、前記遊技制御手段から前記複数種類の制御手段への情報の出力は許容されるが前記複数種類の制御手段から前記遊技制御手段への情報の入力は禁止される。
【手続補正２４】
【補正対象書類名】明細書
【補正対象項目名】０３５７
【補正方法】変更
【補正の内容】
【０３５７】
【課題を解決するための手段の具体例の効果】
請求項１に関しては、遊技制御手段が演出を開始するとき可変表示制御手段および発光体制御手段の制御内容を指令する指令情報を出力する制御を１回のみ行なうことで、所定の演出期間にわたって前記複数種類の遊技部品を所定の態様で動作させる制御が開始されることから、可変表示制御手段および発光体制御手段に対して指令情報を出力する遊技制御手段の制御負担を軽減可能となる。
請求項２に関しては、遊技制御手段が演出を開始するとき可変表示制御手段および音制御手段の制御内容を指令する指令情報を出力する制御を１回のみ行なうことで、所定の演出期間にわたって前記複数種類の遊技部品を所定の態様で動作させる制御が開始されることから、可変表示制御手段および音制御手段に対して指令情報を出力する遊技制御手段の制御負担を軽減可能となる。
【手続補正２５】
【補正対象書類名】明細書
【補正対象項目名】０３５８
【補正方法】変更
【補正の内容】
【０３５８】
請求項３に関しては、請求項１または請求項２に関する効果に加えて、指令情報は演出期間を特定可能な情報を含むことから、適当な演出期間を遊技制御手段が指定できる。
【手続補正２６】
【補正対象書類名】明細書
【補正対象項目名】０３５９
【補正方法】変更
【補正の内容】
【０３５９】
請求項４に関しては、請求項１〜請求項３のいずれかに関する効果に加えて、指令情報は可変表示制御手段が演出パターンを特定可能な情報を含むことから、可変表示制御に関する適当な演出パターンを遊技制御手段が指定できる。
【手続補正２７】
【補正対象書類名】明細書
【補正対象項目名】０３６０
【補正方法】変更
【補正の内容】
【０３６０】
請求項５に関しては、請求項２に関する効果に加えて、指令情報は音制御手段が演出パターンを特定可能な情報を含むことから、音制御に関する適当な演出パターンを遊技制御手段が指定できる。
【手続補正２８】
【補正対象書類名】明細書
【補正対象項目名】０３６１
【補正方法】変更
【補正の内容】
【０３６１】
請求項６に関しては、請求項１に関する効果に加えて、指令情報は発光体制御手段が演出パターンを特定可能な情報を含むことから、発光体の制御に関する適当な演出パターンを遊技制御手段が指定できる。
【手続補正２９】
【補正対象書類名】明細書
【補正対象項目名】０３６２
【補正方法】変更
【補正の内容】
【０３６２】
請求項７に関しては、請求項１または請求項２または請求項３に関する効果に加えて、演出期間において複数種類の制御手段の各々が用いる演出パターン同士が互いに関連した内容となる指令情報が出力されるために、その演出期間においては、整合性のとれた遊技演出を行なうことが可能になる。
【手続補正３０】
【補正対象書類名】明細書
【補正対象項目名】０３６３
【補正方法】変更
【補正の内容】
【０３６３】
請求項８に関しては、請求項１〜請求項７のいずれかに関する効果に加えて、演出期間が終了する時期に演出期間の終了を通知する指令情報が複数種類の制御手段に出力されるために、演出期間の終了時期を複数種類の制御手段側で確認できる。
【手続補正３１】
【補正対象書類名】明細書
【補正対象項目名】０３６４
【補正方法】変更
【補正の内容】
【０３６４】
請求項９に関しては、請求項１〜請求項８のいずれかに関する効果に加えて、可変表示装置の表示結果を特定可能な指令情報が可変表示制御手段に出力されるために、可変表示装置の表示結果を遊技制御手段が指定できる。
【手続補正３２】
【補正対象書類名】明細書
【補正対象項目名】０３６５
【補正方法】変更
【補正の内容】
【０３６５】
請求項１０に関しては、請求項１〜請求項９のいずれかに関する効果に加えて、前記演出期間にわたって前記複数種類の遊技部品を所定の態様で動作させるために、前記複数種類の制御手段の各々に対して出力される指令情報は、同一形態であることから、指令情報の形態を少なくすることができ、指令情報の記憶容量を低減できる。
【手続補正３３】
【補正対象書類名】明細書
【補正対象項目名】０３６６
【補正方法】変更
【補正の内容】
【０３６６】
請求項１１に関しては、請求項１〜請求項１０のいずれかに関する効果に加えて、複数種類の制御手段は、遊技制御手段が搭載された遊技制御基板とは別の基板に搭載されることから、遊技制御基板をコンパクトにすることができる。
【手続補正３４】
【補正対象書類名】明細書
【補正対象項目名】０３６７
【補正方法】変更
【補正の内容】
【０３６７】
請求項１２に関しては、請求項１〜請求項１１のいずれかに関する効果に加えて、複数種類の制御手段から遊技制御手段への情報の入力が禁止されるために、複数種類の制御手段から遊技制御手段へ不正情報を入力して遊技制御手段を動作させる不正行為を防止できる。